(57)【要約】      （修正有）【課題】複数の弾頭を搭載し、広範囲の領域にある目標に対しダメージを与えることが可能な飛しょう体を提供する。【解決手段】誘導飛しょう体１は対象脅威の射程外から進入し、目標上空に接近すると、複数個（９個）のマルチＥＦＰ弾頭２を放出する。放出されたマルチＥＦＰ弾頭２は目標の領域１３に降下し、高度検出器３の検出値に応じて信管５が作動し、各々が起爆して周囲にダメージを与える。目標領域にマルチＥＦＰ弾頭２である複数の子弾が分散されるため、領域の中心部から離れた周囲の攻撃対象に対しても威力を維持することができる上、子弾同士の複域を持たせることによりライナー密度を目標領域の至るところで大きく保つことができるので、全体として広範囲の領域に対し、効果を与えることができる。【選択図】図４
2010266172.tif 000002
【特許請求の範囲】
【請求項１】
胴体部に複数の金属ライナーが配置されたマルチＥＦＰ（Exploxively Formed Penetrator）弾頭を複数個搭載し、目標上空で当該複数個のマルチＥＦＰ弾頭を放出することを特徴とする誘導飛しょう体。
【請求項２】
前記マルチＥＦＰ弾頭はパラシュートを備え、当該パラシュートは前記マルチＥＦＰ弾頭の降下時に開傘することを特徴とする請求項１記載の誘導飛しょう体。
【請求項３】
前記マルチＥＦＰ弾頭は、測位手段と操舵翼と誘導装置と操舵翼制御装置を備え、
前記操舵翼は前記マルチＥＦＰ弾頭が放出されると展開し、
前記誘導装置は前記測位手段が出力する位置を予め定めた目標位置に導く誘導信号を前記操舵翼制御装置に対して出力し、
前記操舵翼制御装置は前記誘導信号に基づき前記操舵翼を制御して、前記マルチＥＦＰ弾頭を前記目標位置に向かわせることを特徴とする請求項１、２いずれか記載の誘導飛しょう体。
【請求項４】
前記マルチＥＦＰ弾頭は、シーカと操舵翼と誘導装置と操舵翼制御装置を備え、
前記操舵翼は前記マルチＥＦＰ弾頭が放出されると展開し、
前記誘導装置はシーカが検知する目標位置に基き、前記操舵翼制御装置に誘導信号を出力し、
前記操舵翼制御装置は前記誘導信号に基づき前記操舵翼を制御して、前記マルチＥＦＰ弾頭を前記目標位置に向かわせることを特徴とする請求項１、２いずれか記載の誘導飛しょう体。
【請求項５】
前記マルチＥＦＰ弾頭は、目標に応じて目標中心座標と子弾の散布モードを選択する誘導装置を搭載していることを特徴とする請求項1乃至４のいずれか記載の誘導飛しょう体。
【発明の詳細な説明】
【技術分野】
【０００１】
この発明は、地表または空中より発射されて目標地点に向かって飛しょうし、子弾を放出する誘導飛しょう体に関するものである。
【背景技術】
【０００２】
誘導飛しょう体により広範囲の目標に対してダメージを与えようとする場合、従来、多数の子弾を内蔵し目標に向けて地表から発射したロケット弾や母機から発射した爆弾を目標地点に誘導したのち、内蔵する子弾を広範囲に散布する方法が知られている（例えば特許文献１参照）。
【先行技術文献】
【特許文献】
【０００３】
【特許文献１】米国特許４、０６３、５０８号公報
【発明の概要】
【発明が解決しようとする課題】
【０００４】
しかしながら、このように広範囲に散布されたは子弾は不発率が高く、不発弾が後に爆発して被害を与えるという問題がある。
代替爆弾として、多数の金属ライナーが胴体部円周上に配置されたマルチＥＦＰ（Multi Exploxively Formed Penetrator）弾頭を用いることが提案されている。しかしながらこのマルチＥＦＰ弾頭は一般に特許文献１記載の方法に比べてカバーできる領域が狭い。
マルチＥＦＰ弾で広範囲の領域をカバーするためには、起爆時の爆弾の姿勢を地面に対して垂直に保ち、目標を攻撃できる高さで弾頭を地面に平行に射出する必要がある。
しかしながら爆弾の姿勢が数度斜めになるだけで、飛散する弾頭は一方では極至近の地表に集中し、他方は空中に空しく飛散して効果が極めて減少するという問題があった。
【０００５】
また、各弾頭に爆弾前方への飛散角を離散的につけ、起爆時の高度を高く設定することで効果の範囲を広く維持することができるが、起爆時の爆弾の姿勢を地面に垂直に保たないとその効果は極めて減少するという問題があった。
【０００６】
また、理想的な姿勢で起爆させたとしても、このマルチＥＦＰ弾１個でカバーできる範囲は、従来の爆弾に比べると格段に小さいという問題があった。 
【０００７】
また、このライナーのエネルギーは強力であるが、目標領域に分散する個別の目標のうち、弾頭起爆地点から遠方にある堅固な目標は無力化できないという問題があった。
【０００８】
また、爆弾を中心にライナーが円周方向飛散することから、爆弾中心部から遠ざかるほど、飛散するライナーの密度が小さくなり、効力が弱まるという問題があった。
【０００９】
この発明は係る課題を解決することを主な目的とし、複数の弾頭を搭載し、広範囲の領域にある目標に対しダメージを与えることが可能な飛しょう体を提供する。
【課題を解決するための手段】
【００１０】
この発明による飛しょう体は、胴体部に複数の金属ライナーが配置されたマルチＥＦＰ弾頭を複数個搭載し、誘導された目標上空で当該複数個のマルチＥＦＰ弾頭を放出するようにした。
【発明の効果】
【００１１】
この発明の飛しょう体によれば、広範囲の目標に対しダメージを与えることができる。
【図面の簡単な説明】
【００１２】
【図１】この発明の実施の形態１による誘導飛しょう体の構成図である。
【図２】この発明の実施の形態１によるマルチＥＦＰ弾頭の構成図である。
【図３】この発明の実施の形態１によるマルチＥＦＰ弾頭の動作を説明する図である。
【図４】この発明の実施の形態１による誘導飛しょう体の動作を説明する図である。
【図５】この発明の実施の形態２によるマルチＥＦＰ弾頭の動作を説明する図である。
【図６】この発明の実施の形態３によるマルチＥＦＰ弾頭の構成図である。
【図７】この発明の実施の形態４によるマルチＥＦＰ弾頭の目標領域と中央集中型の散布の様子を説明する図である。
【図８】この発明の実施の形態４によるマルチＥＦＰ弾頭の目標領域と広域分布型の散布の様子を説明する図である。
【図９】この発明の実施の形態５によるマルチＥＦＰ弾頭の構成図である。
【図１０】この発明の実施の形態５によるマルチＥＦＰ弾頭の動作を説明する図である。
【図１１】従来のマルチＥＦＰ弾頭を搭載した誘導飛しょう体の構成図である。
【図１２】従来のマルチＥＦＰ弾頭を搭載した誘導飛しょう体の動作を説明する図である。
【発明を実施するための形態】
【００１３】
実施の形態１。
まず、従来技術について図を用いて説明する。
図１１は単弾頭としてのマルチＥＰＰ弾頭を搭載した誘導飛しょう体の構成を示した図である。誘導飛しょう体１に搭載されたマルチＥＦＰ弾頭１５の胴体部円周上に多数の金属ライナー４が配置されている。
図１２は単弾頭としてのマルチＥＦＰ弾頭を搭載した誘導飛しょう体による有効射程の一例を説明する図である。誘導飛しょう体１が目標の領域に垂直に突入して低高度で弾頭が一斉に起爆すると、爆発の圧力で弾丸形状に成型された金属ライナー１１が円周方向に飛び出す。この金属ライナー４は強力な運動エネルギーをもち、有効射程が個々のＥＦＰ弾直径の１０００倍もの有効射程を持つため、このマルチＥＦＰ弾を用いれば広範囲の円状の領域１２に効果を発揮することができる。しかしながら、爆弾の姿勢が数度斜めになるだけで、飛散する弾頭は一方では極至近の地表に集中し、他方は空中に空しく飛散して効果が極めて減少するなどの問題が生じていた。
【００１４】
次に、この発明に係る実施の形態１の弾頭について、図を用いて説明する。
図１は実施の形態１による誘導飛しょう体の構成を示した図である。図１に記載する誘導飛しょう体１には各種の構成部品および装置が設けられているが、ここではこの発明の要旨とする部分のみを説明する。
【００１５】
誘導飛しょう体１の内部には１０個未満（９個）のマルチＥＦＰ弾頭２が子弾として内蔵されている。
図２は実施の形態１によるマルチＥＦＰ弾頭の構成を示している。個々のマルチＥＦＰ弾頭２は高度検出器３を備え、弾頭表面には金属ライナー４が配置され、信管５により内部に装填された炸薬６が起爆されると爆発の衝撃波で侵徹効果の高い弾丸形状に成型されたライナー１１が、図３に示すように弾頭全周囲方向に発射されて、弾頭の周囲の領域１２に対し効果を与える。
【００１６】
図４は前記マルチＥＦＰ弾頭２を搭載した誘導飛しょう体１が目標を攻撃する様子を示した図である。
誘導飛しょう体１は対象脅威の射程外から進入し、目標上空に接近すると、複数個（９個）のマルチＥＦＰ弾頭２を放出する。放出されたマルチＥＦＰ弾頭２は目標の領域１３に降下し、高度検出器３の検出値に応じて信管５が作動し、各々が起爆して周囲にダメージを与える。
目標領域にマルチＥＦＰ弾頭２である複数の子弾が分散されるため、領域の中心部から離れた周囲の攻撃対象に対しても威力を維持することができる上、子弾同士の複域を持たせることによりライナー密度を目標領域の至るところで大きく保つことができるので、全体として広範囲の領域に対し、効果を与えることができる。
【００１７】
実施の形態２。
以下、図を用いてこの発明に係る実施の形態２について説明する。
図５は実施の形態２による誘導飛しょう体用のマルチＥＦＰ弾頭を示している。
【００１８】
マルチＥＦＰ弾頭２は、降下時に開傘し、起爆時の姿勢を水平に保つためのパラシュート７を備えている。これにより、起爆したマルチＥＦＰ弾頭２の金属ライナー４の射出方向１２に、弾頭の姿勢による傾きを無くすことができるため、各弾頭が効果的に守備範囲にダメージを与えることができる。また、金属ライナー４の射出方向は、弾頭自体の降下速度により、下方に速度成分を持っているが、パラシュート７を備えることにより弾頭の降下速度を抑えられるので、射出された金属ライナー１１の方向は水平に近くなり、射出の距離が伸びる。パラシュート７の大きさを適切に選ぶことにより、相手に与える効果を上げることが可能である。
【００１９】
実施の形態３。
以下、図を用いてこの発明に係る実施の形態３について説明する。
図６は実施の形態３による誘導飛しょう体用のマルチＥＦＰ弾頭を示している。
【００２０】
マルチＥＦＰ弾頭２は、ＧＰＳ受信器８と、弾頭２をＧＰＳアンテナ８によって目標地点に誘導するための操舵翼９および図示しない誘導装置および操舵翼制御装置が設けられている。誘導装置はＧＰＳ受信器が出力する現在位置と予め定めた目標位置に基づき、マルチＥＦＰ弾頭を目標位置に誘導する誘導信号を操舵翼制御装置に対して出力する。操舵翼制御装置は誘導信号に基づき、操舵翼を制御する。なお、ＧＰＳ受信器は、測位手段の一例である。
マルチＥＦＰ弾頭２が放出されると、折りたたまれた操舵翼９が展開し、予め設定された目標座標に向かってＧＰＳアンテナ８からの位置情報にしたがって誘導装置および操舵翼制御装置により操舵翼９が作動し、各マルチＥＦＰ弾頭２は目標領域に誘導されるので、目標領域を明確に絞ることができ、確実に相手に対してダメージを与えることが可能である。
【００２１】
実施の形態４。
実施の形態４では目標領域の中心座標を入力し、目標領域の広さや領域内の個別目標の展開状況に応じて、自動で複数のマルチＥＦＰ弾頭２の散布モードを選べる機能を誘導装置に持たせている。
誘導飛しょう体から弾頭を投下する前に、目標領域の中心座標およびモードを設定することにより、各マルチＥＦＰ弾頭２の誘導装置は自動的にそれぞれの目標位置を算出するので、効果的な攻撃パターンを形成することができる。
本実施の形態によれば、各マルチＥＦＰ弾頭２の目標座標を、弾頭の個数分設定する必要がない。
【００２２】
図７および図８に目標領域とマルチＥＦＰ弾頭の散布の例を示す。目標領域１３に対し、中心座標９を設定し、各弾頭の落下目標位置１０が算出される。一般的には図７に示すような中央集中型や、図８の広域分布型などが考えられる。また無誘導での子弾散布領域は、誘導飛しょう体１の飛しょう方向を長軸とした楕円となるが、この実施の形態４によれば、散布領域の形状を設定できるため、目標の分布状況により誘導飛しょう体１の目標地点１２への進入経路を選ばないというメリットがある。
【００２３】
実施の形態５。
以下、図を用いてこの発明に係る実施の形態５について説明する。
図９は実施の形態５による誘導飛しょう体用のマルチＥＦＰ弾頭を示している。
【００２４】
マルチＥＦＰ弾頭２は、パラシュート７、操舵翼９、シーカ１４と図示しない誘導装置および操舵翼制御装置を備えている。またこのマルチＥＦＰ弾頭２は先端形状がドーム上になっており、このドーム面にも金属ライナー４が配置されている。本実施の形態でのマルチＥＦＰ弾頭２は、実施の形態４のような方法で設定されたそれぞれの目標領域１２内で、シーカ１４を用いて目標熱源などを利用して各主要目標を検知し、それに向かって誘導される。なお、誘導装置はシーカが検知する目標位置に基づき、マルチＥＦＰ弾頭を目標位置に誘導する誘導信号を操舵翼制御装置に対して出力する。操舵翼制御装置は誘導信号に基づき、操舵翼を制御する。
各マルチＥＦＰ弾頭はそれぞれの目標の頭上に誘導されたのち、起爆される。
図１５に本実施の形態のマルチＥＦＰ弾頭１個が目標に対して作動する様子を示す。目標に対してはドーム上に配置された金属ライナーが下方に発射され、集中的にこれを攻撃し、弾頭の円周上に配置された金属ライナーにより周囲の広範囲にわたる領域を同時に攻撃することができる。
【符号の説明】
【００２５】
１  誘導飛しょう体、  ２  マルチＥＦＰ弾頭、  ３  高度検出器、  ４  金属ライナー、  ５  信管、  ６  炸薬、  ７  パラシュート、  ８  ＧＰＳ受信器、  ９  操舵翼、  １０  各マルチＥＦＰ弾頭の落下目標位置、  １１  射出された金属ライナー、１２  マルチＥＦＰ弾頭１個の目標領域、  １３  誘導飛しょう体の攻撃目標領域、  １４  シーカ、  １５  単弾頭としてのマルチＥＦＰ弾頭。
【図１】
2010266172.tif 000003
【図２】
2010266172.tif 000004
【図３】
2010266172.tif 000005
【図４】
2010266172.tif 000006
【図５】
2010266172.tif 000007
【図６】
2010266172.tif 000008
【図７】
2010266172.tif 000009
【図８】
2010266172.tif 000010
【図９】
2010266172.tif 000011
【図１０】
2010266172.tif 000012
【図１１】
2010266172.tif 000013
【図１２】
2010266172.tif 000014